(57)【要約】      （修正有）【課題】レジ袋をロール状集合体から１枚ずつ確実に簡単に取り出すことができ、しかもレジ袋の無駄な消費を抑止できるレジ袋のロール状集合体を提供する。【解決手段】レジ袋を扁平にした状態で、提げ手４を含む左右の折り込み領域１１Ｌ・１１Ｒのそれぞれを、レジ袋の中央側へ向かって折りたたんで巻き込みブランク１２を形成する。一群の巻き込みブランク１２を、その袋底６側を巻き込み始端にして渦巻状に巻き込む。その過程で、内層に位置する巻き込みブランク１２の左右の提げ手４および結び片５のそれぞれの外面を、外層に位置する巻き込みブランク１２の袋底６で覆いながら巻き込む。使用時には、外層の巻き込みブランク１２を取り外すごとに、内層に位置していた巻き込みブランク１２の左右の提げ手４および結び片５をロール周面に露出できる。【選択図】図４
0003166954.tif 000002
【実用新案登録請求の範囲】
【請求項１】
レジ袋（１）の一群をロール状に巻き込んで形成してあるレジ袋のロール状集合体であって、
レジ袋（１）は、袋本体（２）と、袋本体（２）の出し入れ口（３）の左右両側に設けられる一対の提げ手（４）と、提げ手（４）の間に設けられる結び片（５）を備えており、
扁平にしたレジ袋（１）において、左の提げ手（４）を含む左折り込み領域（１１Ｌ）と、右の提げ手（４）を含む右折り込み領域（１１Ｒ）のそれぞれを、レジ袋（１）の中央側へ向かって折りたたんで巻き込みブランク（１２）を形成し、
一群の巻き込みブランク（１２）を、その袋底（６）側を巻き込み始端にして渦巻状に巻き込んでロール状集合体が形成されており、
内層に位置する巻き込みブランク（１２）の左右の提げ手（４）および結び片（５）のそれぞれの外面が、外層に位置する巻き込みブランク（１２）の袋底（６）で覆われており、
外層の巻き込みブランク（１２）をロール状集合体から取り外すごとに、内層に位置していた巻き込みブランク（１２）の左右の提げ手（４）および結び片（５）のそれぞれをロール周面に露出できることを特徴とするレジ袋のロール状集合体。
【請求項２】
一群の巻き込みブランク（１２）を、左折り込み領域（１１Ｌ）および右折り込み領域（１１Ｒ）が巻き面の内面側に位置する状態で渦巻状に巻き込んである請求項１に記載のレジ袋のロール状集合体。
【請求項３】
左折り込み領域（１１Ｌ）および右折り込み領域（１１Ｒ）の折り曲げ幅が、左右の提げ手（４）の左右幅と同じ幅に設定してある請求項１または２に記載のレジ袋のロール状集合体。
【請求項４】
レジ袋（１）がガゼット袋で構成されて、袋本体（２）から提げ手（４）にわたるレジ袋（１）の側縁内方に断面Ｖ字状のまち壁（７）が形成されており、
巻き込みブランク（１２）の左右の折り込み領域（１１Ｌ・１１Ｒ）を含む断面の一部が８層になっており、
ロール状集合体の中央部分に、空気層を含む柔軟な弛緩巻き層（１７）が設けてある請求項１から３のいずれかひとつに記載のレジ袋のロール状集合体。
【請求項５】
ロール状集合体の最外面に位置する巻き込みブランク（１２）において、左折り込み領域（１１Ｌ）および右折り込み領域（１１Ｒ）の左右の提げ手（４）が、結び片（５）の側へ向かって斜めに折りたたまれており、
斜めに折りたたまれた左右の提げ手（４）と結び片（５）との重合部の外面が、ロール状集合体を周回する封帯（１５）で固定してある請求項１から４のいずれかひとつに記載のレジ袋のロール状集合体。
【請求項６】
ロール状集合体の中央に、ロールの一側端から他側にわたる中心穴（１６）が設けられており、
中心穴（１６）に差し込んだ支軸（２１）でロール状集合体が回転自在に支持してある請求項１から５のいずれかひとつに記載のレジ袋のロール状集合体。
【考案の詳細な説明】
【技術分野】
【０００１】
本考案は、提げ手が袋本体と一体に設けてあるプラスチックシート製の簡易手提げ袋（以下、単にレジ袋という。）の一群を、ロール状に巻き込んで構成されるレジ袋のロール状集合体に関する。
【背景技術】
【０００２】
本考案に関して、レジ袋の一群をロール状に巻き取った状態で使用することは、たとえば特許文献１に公知である。そこでは、扁平に折りたたんだチューブ体に打ち抜き加工と溶着加工とを施して、レジ袋の一群がチューブ体の長手方向に連続するバッグシートを形成し、全体をロール状に巻き込んでいる。隣接するレジ袋同士はミシン目を介して繋がっており、ミシン目の部分を分断することにより、１個のレジ袋をバッグシートから分離することができる。因みに、特許文献１のレジ袋のロール状集合体は、バッグシートを自動袋詰装置に対して連続して自動的に供給するために設けてある。
【０００３】
本考案に係るレジ袋のロール状集合体のロール構造に関して、特許文献２の巻き込み扁平袋物が公知である。そこでは、扁平にしたプラスチック製の袋の一群を、中心に空洞が生じる状態で順にロール状に巻き込んでロール状集合体を構成しており、空洞の側面開口から袋を１枚ずつ取り出すことができる。プラスチック製の袋は、扁平に折りたたんだチューブ体に対して一定間隔おきに溶着加工を施し、溶着線の近傍でチューブ体を切断して得られる単純な構造の袋であって、レジ袋のように提げ手を備えている袋ではない。
【先行技術文献】
【特許文献】
【０００４】
【特許文献１】特開平０６−００８９４６号公報（段落番号００１５、図４）
【特許文献２】特開平０２−２３３３６５号公報（第２頁左下欄、第７図）
【考案の概要】
【考案が解決しようとする課題】
【０００５】
特許文献１のレジ袋のロール状集合体は、元来、自動袋詰装置に対してレジ袋を供給するために設けられているものであるが、これを、スーパーマーケットなどの袋詰め台に設置しておくと、消費者が必要な枚数のレジ袋をロール状集合体から取り出すことができる。しかし、１枚のレジ袋をバッグシートから分離するのに、左右の提げ手の近傍に設けた２個所のミシン目を分断する必要があり煩わしい。また、ミシン目が乱暴に分断されるような場合に、提げ手やレジ袋の一部が破れて、手提げ袋として使用できなくなることがある。
【０００６】
その点、特許文献２のロール状集合体は、個々の袋を順にロール巻きしただけであるので、袋をロール状集合体から簡単に取り出すことができる。また、袋を取り出すときに、他の袋が破れることもない。しかし、ロール状集合体の空洞の側面開口から、ロール外側方へ袋を抜き出すので、抜き出し途中の袋が螺旋筒状となって、その外面に接している袋をも同時に抜き出してしまうことがあり、袋が無駄に消費されやすい。さらに、空洞の内面側から袋を抜き出すので、ロール状集合体の空洞の直径が大きくなるのに伴って、袋の重みで筒形状が崩れてしまい、袋の取り出しを最後まで円滑に行えないことがある。
【０００７】
本考案の目的は、レジ袋をロール状集合体から確実に１枚ずつ、しかも簡単に取り出すことができ、したがってレジ袋の無駄な消費を抑止でき、さらに最後の１枚まで的確に取り出すことができるレジ袋のロール状集合体を提供することにある。
【課題を解決するための手段】
【０００８】
本考案に係るレジ袋のロール状集合体は、レジ袋１の一群をロール状に巻き込んで形成する。図２に示すようにレジ袋１は、袋本体２と、袋本体２の出し入れ口３の左右両側に設けられる一対の提げ手４と、提げ手４の間に設けられる結び片５を備えている。図３に示すように扁平にしたレジ袋１において、左の提げ手４を含む左折り込み領域１１Ｌと、右の提げ手４を含む右折り込み領域１１Ｒのそれぞれを、レジ袋１の中央側へ向かって折りたたんで巻き込みブランク１２を形成する。一群の巻き込みブランク１２を、図４に示すように、その袋底６側を巻き込み始端にして渦巻状に巻き込んでロール状集合体を形成する。巻き込みブランク１２を巻き込む過程では、内層に位置する巻き込みブランク１２の左右の提げ手４および結び片５のそれぞれの外面を、外層に位置する巻き込みブランク１２の袋底６で覆う。使用時には、図１に示すように、外層の巻き込みブランク１２をロール状集合体から取り外すごとに、内層に位置していた巻き込みブランク１２の左右の提げ手４および結び片５のそれぞれをロール周面に露出できることを特徴とする。
【０００９】
一群の巻き込みブランク１２は、左折り込み領域１１Ｌおよび右折り込み領域１１Ｒが巻き面の内面側に位置する状態で渦巻状に巻き込む。
【００１０】
左折り込み領域１１Ｌおよび右折り込み領域１１Ｒの折り曲げ幅を、左右の提げ手４の左右幅と同じ幅に設定する。
【００１１】
レジ袋１をガゼット袋で構成して、袋本体２から提げ手４にわたるレジ袋１の側縁内方に断面Ｖ字状のまち壁７を形成する。これにより、巻き込みブランク１２の左右の折り込み領域１１Ｌ・１１Ｒを含む断面の一部が８層となる（図３参照）。ロール状集合体の中央部分に、空気層を含む柔軟な弛緩巻き層１７を設ける（図７参照）。なお、左右の折り込み領域１１Ｌ・１１Ｒを含む断面の一部が８層となるのは、まち壁７の左右幅と、左右の折り込み領域１１Ｌ・１１Ｒの折り込み幅とが異なることに原因がある。
【００１２】
ロール状集合体の最外面に位置する巻き込みブランク１２において、左折り込み領域１１Ｌおよび右折り込み領域１１Ｒの左右の提げ手４を、図５に示すように結び片５の側へ向かって斜めに折りたたむ。斜めに折りたたまれた左右の提げ手４と結び片５との重合部の外面を、ロール状集合体を周回する封帯１５で固定する。
【００１３】
ロール状集合体の中央に、ロールの一側端から他側にわたる中心穴１６を設ける。図１に示すように、中心穴１６に差し込んだ支軸２１でロール状集合体を回転自在に支持する。
【考案の効果】
【００１４】
本考案においては、左折り込み領域１１Ｌと右折り込み領域１１Ｒのそれぞれを、レジ袋１の中央側へ向かって折りたたんで巻き込みブランク１２を形成し、一群の巻き込みブランク１２を渦巻状に巻き込んでロール状集合体を形成するようにした。さらに、巻き込みブランク１２を巻き込む過程では、内層に位置する巻き込みブランク１２の左右の提げ手４および結び片５のそれぞれの外面を、外層に位置する巻き込みブランク１２の袋底６で覆うようにした。これにより使用時には、外層の巻き込みブランク１２をロール状集合体から取り外すごとに、内層に位置していた巻き込みブランク１２の左右の提げ手４および結び片５のそれぞれをロール周面に露出させることができる。
【００１５】
上記のように、めくりやすい提げ手４や結び片５をロール周面に露出させることにより、個々の巻き込みブランク１２を、提げ手４や結び片５を取り出し始端にしてロール状集合体から１枚ずつ確実に取り出すことができる。また、個々の巻き込みブランク１２が巻き込み方向へ連続するのを避けて、内外の巻き込みブランク１２を分離しやすくするので、最外面の巻き込みブランク１２を取り出すとき、次の巻き込みブランク１２が同時に取り出されるのを確実に防止できる。したがって、本考案のロール状集合体によれば、レジ袋１が余分に取り出されるのを解消して、その無駄な消費を抑止できる。さらに、ロール状集合体における巻き込みブランク１２の残り枚数が少なくなった場合でも、ロール形状を維持し続けて、巻き込みブランク１２を最後の１枚まで的確に取り出すことができる。
【００１６】
左右の折り込み領域１１Ｌ・１１Ｒが巻き面の内面側に位置する状態で、巻き込みブランク１２を渦巻状に巻き込むと、左右の折り込み領域１１Ｌ・１１Ｒを袋本体２側のシート面で押えて、各領域１１Ｌ・１１Ｒがロール周面に露出するのを防止できる。したがって、ロール周面において左右の折り込み領域１１Ｌ・１１Ｒがひらひらするのを防止でき、ロール状集合体の取り扱いを容易化できる。また、レジ袋１をロール状集合体から取り出す際に、指先が左右の折り込み領域１１Ｌ・１１Ｒに引っ掛かって、ロール状集合体の巻き姿が乱れたり、最外面の巻き込みブランク１２がロール状集合体から分離するのをよく防止できる。さらに、ロール周面に露出した提げ手４や結び片５が、不必要に解離してひらひらするのを防止できる。
【００１７】
左右の折り込み領域１１Ｌ・１１Ｒの折り曲げ幅を、左右の提げ手４の左右幅と同じ幅に設定すると、左右の提げ手４と結び片５のそれぞれを、互いに重なることもなくロール周面に露出させた状態で、巻き込みブランク１２を安定した状態で均等に巻き込むことができる。したがって、提げ手４や結び片５を確実に摘んで、レジ袋１をロール状集合体から１枚ずつ確実に取り出すことができる。因みに、左右の折り込み領域１１Ｌ・１１Ｒの折り曲げ幅が大きすぎると、左右の提げ手４と結び片５とが内外に重なって、レジ袋１を取り出すとき、提げ手４を摘むのが難しくなる。また、左右の折り込み領域１１Ｌ・１１Ｒの折り曲げ幅が小さすぎると、ロール状集合体の両側端のみが密巻状態となるため、ロール状集合体の中央部分の強度が低下して扱いにくくなる。さらに、レジ袋１を単に扁平にした状態で巻き込む場合には、左右両側を均等に巻き込むのが難しく、ロール状集合体の巻き姿が乱れやすい。
【００１８】
ガゼット袋として構成したレジ袋１においては、その側縁内方に断面Ｖ字状のまち壁７が形成される。そのため、巻き込みブランク１２の左右の折り込み領域１１Ｌ・１１Ｒを含む断面の一部が８層となる。そのため、ロール状集合体を形成した状態においては、各領域１１Ｌ・１１Ｒが密巻されるのに対し、ロールの中央部分には空気層を含む柔軟な弛緩巻き層１７が形成される。また、結び片５はこの弛緩巻き層１７に臨む状態でロール周面に露出している。したがって、弛緩巻き層１７を内凹み状に押し込みながら結び片５を確実に摘むことができ、レジ袋１の取り出しをさらに的確に行える。
【００１９】
左右の折り込み領域１１Ｌ・１１Ｒの提げ手４を、結び片５の側へ向かって斜めに折りたたみ、これら三者の重合部の外面を、ロール状集合体を周回する封帯１５で固定すると、ロール状集合体を取り扱う際に提げ手４や結び片５がひらひらするのを防止できる。また、封帯１５を取り除かない限りは、レジ袋１をロール状集合体から取り出せないので、搬送時や保管時のロール状集合体の取り扱いを容易化できる。
【００２０】
使用状態において、ロール状集合体の中心穴１６に支軸２１を差し込んで、ロール状集合体の全体を回転自在に支持すると、レジ袋１を取り出すのに伴ってロール状集合体が回転するので、巻き込みブランク１２を容易に、しかも１枚ずつ確実に解離することができる。
【図面の簡単な説明】
【００２１】
【図１】本考案に係るレジ袋のロール状集合体の使用例を示す斜視図である。
【図２】レジ袋の斜視図である。
【図３】レジ袋の折りたたみ手順を示す説明図である。
【図４】レジ袋の巻き込み構造を示す斜視図である。
【図５】レジ袋の巻き込み終端の構造を示す斜視図である。
【図６】ロール状集合体の縦断側面図である。
【図７】ロール状集合体の縦断正面図である。
【図８】ロール状集合体の別の使用例を示す斜視図である。
【考案を実施するための形態】
【００２２】
（実施例）  図１ないし図８は本考案に係るレジ袋のロール状集合体の実施例を示す。図２は、ロール状に巻き込まれる前のレジ袋１の斜視図を示す。レジ袋１はガゼット袋として構成してあり、袋本体２と、その出し入れ口３の左右両側に設けられる一対の提げ手４・４と、提げ手４・４の間に設けられる舌片状の結び片５とを一体に備えている。袋本体２の下端は熱溶着されて袋底６を形成しており、提げ手４・４の上端も同様に熱溶着してある。レジ袋１の側縁の内方には、袋本体２から提げ手４にわたって、横断面がＶ字状のまち壁７が形成されている。このまち壁７の折り曲げ縁８は、結び片５の基端に臨んでいる（図３（ａ）参照）。結び片５は袋本体２の左右中央に位置している。
【００２３】
図３に示すように、レジ袋１は全体を扁平にしたのち、左の提げ手４を含む左折り込み領域１１Ｌと、右の提げ手４を含む右折り込み領域１１Ｒのそれぞれを、レジ袋１の中央側へ向かって折りたたんで巻き込みブランク１２を形成し、この巻き込みブランク１２を渦巻状に巻き込んでロール状集合体とする。具体的には、左折り込み領域１１Ｌおよび右折り込み領域１１Ｒを、それぞれの折り曲げ幅が左右の提げ手４の左右幅と同じ幅になる状態で、レジ袋１の中央側へ向かって折りたたむ。このときの折り線を符号１４で示す。先に説明したように、レジ袋１はガゼット袋として構成してあるので、左右の折り込み領域１１Ｌ・１１Ｒを折り込んだ状態では、図３（ｃ）に示すように、左右の折り込み領域１１Ｌ・１１Ｒを含む断面の大半の部分が８層になる。なお、折り線１４からまち壁７の折り曲げ縁８までの左右幅が、左右の折り込み領域１１Ｌ・１１Ｒの左右幅より小さいため、まち壁７の折り曲げ縁８の位置よりも袋中央側の断面は６層となる。
【００２４】
巻き込みブランク１２を渦巻状に巻き込む場合には、図４に示すように、巻き込みブランク１２の袋底６側を巻き込み始端にして、図示していない芯材に対して、左折り込み領域１１Ｌおよび右折り込み領域１１Ｒが、巻き面の内面に位置する状態で渦巻状に巻き込む。同様にして、次の巻き込みブランク１２を巻き込むが、このとき、内層に位置する巻き込みブランク１２の左右の提げ手４および結び片５の外面を、外層に位置する巻き込みブランク１２の袋底６で覆うようにする。以下、所定枚数の巻き込みブランク１２を巻き込むことによりロール状集合体が得られる。
【００２５】
図５に示すように、最外面に位置する巻き込みブランク１２は、左折り込み領域１１Ｌおよび右折り込み領域１１Ｒの左右の提げ手４・４を、結び片５の側へ向かって斜めに折りたたんで、これら三者４・４・５の重合部の外面を、ロール状集合体を周回する封帯１５で覆って固定する。得られたロール状集合体から芯材を抜き外すことにより、その中央にロールの一側端から他側にわたる中心穴１６が形成される。ロール状集合体の断面の概略を図６に示す。
【００２６】
先に説明したように、左右の折り込み領域１１Ｌ・１１Ｒを含む断面が６層または８層になるのに対し、巻き込みブランク１２の中央部分の断面は２層にしかならない。そのため、ロール状集合体においては、図７に示すように、左右の折り込み領域１１Ｌ・１１Ｒを含む巻き層は密巻き状態となるが、ロール状集合体の中央部分には、空気層を含む柔軟な弛緩巻き層１７が形成される。結び片５はこの弛緩巻き層１７に臨んでおり、したがって、袋本体２の弛緩巻き層１７を内凹み状に押し込むことにより、結び片５を確実に摘むことができる。
【００２７】
ロール状集合体は、図１に示すように、袋詰め台に設置したロールホルダー２０の支軸２１に先の中心穴１６を差し込んで、ロール全体を回転自在に支持した状態で使用する。使用者は、最外面に位置する結び片５、あるいは提げ手４を摘んで引っ張ることにより、レジ袋１を簡単に取り出すことができる。このように、外層のレジ袋１（巻き込みブランク１２）をロール状集合体から取り外すと、内層に位置していた巻き込みブランク１２の左右の提げ手４および結び片５のそれぞれをロール周面に露出できるので、結び片５または提げ手４を摘んで次の巻き込みブランク１２を容易に取り出すことができる。
【００２８】
また、外層に位置する巻き込みブランク１２は、その袋底６が、内層に位置する巻き込みブランク１２の左右の提げ手４および結び片５の外面に重なっているだけで、両者は周方向へ連続していない。そのため、外層の巻き込みブランク１２を取り出すとき、内層の巻き込みブランク１２が、外層の巻き込みブランク１２と共に取り出されるのを防止でき、レジ袋の無駄な消費を抑止できる（図５参照）。加えて、ロール状集合体における巻き込みブランク１２の残り枚数が数枚程度にまで減少した場合にも、ロール形状を維持し続けることができるので、巻き込みブランク１２を最後の１枚まで的確に取り出すことができる。
【００２９】
ロール状集合体は、図８に示す形態で取り出すことができる。そこでは上向きに開口する箱２３にロール状集合体を収容して、ロール外面に露出している巻き込みブランク１２を１枚ずつ取り出せるようにした。箱２３の左右幅は、ロール状集合体のロール幅より僅かに大きく、箱２３の前後幅は、未使用状態のロール状集合体のロール直径より僅かに大きく、箱２３の上下高さは、未使用状態のロール状集合体のロール直径の約半分に設定してある。この場合にも、外層のレジ袋１（巻き込みブランク１２）をロール状集合体から取り外すと、内層に位置していた巻き込みブランク１２の左右の提げ手４および結び片５のそれぞれをロール周面に露出させることができる。
【００３０】
上記の実施例以外に、巻き込みブランク１２は紙管で形成した巻き芯の周囲に巻き込むことができる。左右の折り込み領域１１Ｌ・１１Ｒの折り込み幅は、提げ手４の左右幅に一致させる必要はなく、レジ袋１の容積の違いに応じて折り込み幅を大小に変更することができる。さらに、レジ袋１はガゼット構造の袋である必要はなく、まち壁７を備えていないレジ袋１にも適用できる。
【符号の説明】
【００３１】
１  レジ袋
２  袋本体
３  出し入れ口
４  提げ手
５  結び片
６  袋底
７  まち壁
１１Ｌ  左折り込み領域
１１Ｒ  右折り込み領域
１２  巻き込みブランク
【図１】
0003166954.tif 000003
【図２】
0003166954.tif 000004
【図３】
0003166954.tif 000005
【図４】
0003166954.tif 000006
【図５】
0003166954.tif 000007
【図６】
0003166954.tif 000008
【図７】
0003166954.tif 000009
【図８】
0003166954.tif 000010